(57)【特許請求の範囲】
【請求項１】
下記式（１）で示されるフルオレン骨格を有する（メタ）アクリレート（Ａ）、下記式（２）で示される２−フェニルフェニルメタクリレート誘導体（Ｂ）、および重合開始剤（Ｃ）を含有する硬化性樹脂組成物であって、
前記硬化性樹脂組成物１００質量％に対して、前記（メタ）アクリレート（Ａ）および前記２−フェニルフェニルメタクリレート誘導体（Ｂ）の合計の含有量が７０質量％以上であり、
該硬化性樹脂組成物に含まれるラジカル重合性単量体成分の総量１００質量％中、
前記（メタ）アクリレート（Ａ）の含有量が５〜５０質量％であり、
前記２−フェニルフェニルメタクリレート誘導体（Ｂ）の含有量が５０〜９５質量％である、透明光学部材用硬化性樹脂組成物。
【化１】
0006631092.tif 000007
（式（１）中、Ｒ1、Ｒ2、Ｒ3およびＲ4は各々独立に、水素原子またはメチル基であり、ｍは０〜５の整数を示し、ｎは０〜５の整数を示す。）
【化２】
0006631092.tif 000008
（式（２）中、Ｒ5はメチル基であり、Ｒ6およびＲ7は各々独立に、水素原子、炭素数１〜１２のアルキル基、炭素数１〜１２のアルコキシ基、炭素数１〜１２のアルコキシカルボニル基、アシロキシ基、ハロゲン、ホルミル基、シアノ基またはニトロ基を示す。）
【請求項２】
前記透明光学部材用硬化性樹脂組成物１００質量％に対して、前記（メタ）アクリレート（Ａ）および前記２−フェニルフェニルメタクリレート誘導体（Ｂ）の合計の含有量が８０質量％以上である請求項１に記載の透明光学部材用硬化性樹脂組成物。
【請求項３】
請求項１または２に記載の透明光学部材用硬化性樹脂組成物の硬化物。
【請求項４】
請求項３に記載の硬化物を含む透明光学部材。
【請求項５】
請求項３に記載の硬化物を含むレンズ。
【請求項６】
請求項５に記載のレンズを含むカメラモジュール。
【発明の詳細な説明】
【技術分野】
【０００１】
本発明は、透明光学部材用硬化性樹脂組成物、硬化物、透明光学部材、レンズ及びカメラモジュールに関する。
【背景技術】
【０００２】
フルオレン骨格を有する（メタ）アクリル系重合性単量体は、その重合体がガラス転移点と屈折率が高い特長を有するため、それらが要求されるレンズ等の各種透明光学部材の原料として検討されている。該（メタ）アクリル系重合性単量体は、常温で非常に粘度が高いため、重合開始剤を含む硬化性樹脂組成物として扱うためには、低粘度の（メタ）アクリル系重合性単量体で希釈する必要がある。しかしながら、希釈に使用される低粘度の（メタ）アクリル系重合性単量体は、その重合体が高いガラス転移点と高い屈折率とを両立できないため、フルオレン骨格を有する（メタ）アクリル系重合性単量体の特長を損なう課題があった。
【０００３】
例えば、特許文献１には、希釈用（メタ）アクリル系重合性単量体として、ｏ−フェニルフェノキシエチルアクリレートを用いた光学材料用樹脂組成物が開示されている。特許文献２には、希釈用（メタ）アクリル系重合性単量体として、ジメチロールトリシクロデカンジアクリレートを用いた光拡散用レンズ用樹脂組成物が開示されている。特許文献３には、希釈用（メタ）アクリル系重合性単量体として、２−フェニルフェニル（メタ）アクリレートを用いたコロイド結晶用組成物が開示されている。
【先行技術文献】
【特許文献】
【０００４】
【特許文献１】特開２００８−９４９８７号公報
【特許文献２】特開２０１１−１２８２２５号公報
【特許文献３】国際公開第２０１１／１６２０７８号
【発明の概要】
【発明が解決しようとする課題】
【０００５】
しかしながら、特許文献１に記載の光学材料用樹脂組成物の硬化物は、ガラス転移点が低いため、熱で変形しやすく信頼性が低い。特許文献２に記載の光拡散用レンズ樹脂組成物の硬化物は、屈折率が低い。また、特許文献３に記載の組成物の用途は、コロイド結晶であり、レンズ等の透明光学部材に適するものではない。
【０００６】
本発明は上記事情に鑑みてなされたものであり、得られる硬化物が高い透明性、高い屈折率及び高いガラス転移点を有する透明光学部材用硬化性樹脂組成物とその硬化物、その硬化物を含むレンズ等の透明光学部材、並びに該レンズを含むカメラモジュールを提供することを目的とする。
【課題を解決するための手段】
【０００７】
本発明は以下の［１］〜［６］である。
【０００８】
［１］下記式（１）で示されるフルオレン骨格を有する（メタ）アクリレート（Ａ）、下記式（２）で示される２−フェニルフェニル（メタ）アクリレート誘導体（Ｂ）、および重合開始剤（Ｃ）を含有する透明光学部材用硬化性樹脂組成物。
【０００９】
【化１】
0006631092.tif 000002
【００１０】
（式（１）中、Ｒ1、Ｒ2、Ｒ3およびＲ4は各々独立に、水素原子またはメチル基であり、ｍは０〜５の整数を示し、ｎは０〜５の整数を示す。）
【００１１】
【化２】
0006631092.tif 000003
【００１２】
（式（２）中、Ｒ5は水素原子またはメチル基であり、Ｒ6およびＲ7は各々独立に、水素原子、炭素数１〜１２のアルキル基、炭素数１〜１２のアルコキシ基、炭素数１〜１２のアルコキシカルボニル基、アシロキシ基、ハロゲン、ホルミル基、シアノ基またはニトロ基を示す。）。
【００１３】
［２］前記透明光学部材用硬化性樹脂組成物１００質量％に対して、前記（メタ）アクリレート（Ａ）および前記２−フェニルフェニル（メタ）アクリレート誘導体（Ｂ）の合計の含有量が７０質量％以上である［１］に記載の透明光学部材用硬化性樹脂組成物。
【００１４】
［３］［１］または［２］に記載の透明光学部材用硬化性樹脂組成物の硬化物。
【００１５】
［４］［３］に記載の硬化物を含む透明光学部材。
【００１６】
［５］［３］に記載の硬化物を含むレンズ。
【００１７】
［６］［５］に記載のレンズを含むカメラモジュール。
【発明の効果】
【００１８】
本発明によれば、得られる硬化物が高い透明性、高い屈折率及び高いガラス転移点を有する透明光学部材用硬化性樹脂組成物とその硬化物、その硬化物を含むレンズ等の透明光学部材、並びに該レンズを含むカメラモジュールを提供できる。
【図面の簡単な説明】
【００１９】
【図１】本発明に係るカメラモジュールの一実施形態を示す断面図である。
【発明を実施するための形態】
【００２０】
以下、本発明を詳細に説明する。なお、本発明において、「（メタ）アクリル」とは、アクリル及びメタクリルの総称である。「（メタ）アクリレート」とは、アクリレート及びメタクリレートの総称である。「（メタ）アクリロイル基」は、アクリロイル基及びメタクリロイル基の総称であり、ＣＨ2＝Ｃ（Ｒ）−Ｃ（＝Ｏ）−（Ｒは水素原子またはメチル基を示す。）で表される。
【００２１】
［透明光学部材用硬化性樹脂組成物］
本発明に係る透明光学部材用硬化性樹脂組成物（以下、硬化性樹脂組成物とも記す。）は、下記式（１）で示されるフルオレン骨格を有する（メタ）アクリレート（Ａ）（以下、（Ａ）成分とも記す。）、下記式（２）で示される２−フェニルフェニル（メタ）アクリレート誘導体（Ｂ）（以下、（Ｂ）成分とも記す。）、および重合開始剤（Ｃ）（以下、（Ｃ）成分とも記す。）を含有する。
【００２２】
【化３】
0006631092.tif 000004
【００２３】
前記式（１）中、Ｒ1、Ｒ2、Ｒ3およびＲ4は各々独立に、水素原子またはメチル基であり、ｍは０〜５の整数を示し、ｎは０〜５の整数を示す。
【００２４】
【化４】
0006631092.tif 000005
【００２５】
前記式（２）中、Ｒ5は水素原子またはメチル基であり、Ｒ6およびＲ7は各々独立に、水素原子、炭素数１〜１２のアルキル基、炭素数１〜１２のアルコキシ基、炭素数１〜１２のアルコキシカルボニル基、アシロキシ基、ハロゲン、ホルミル基、シアノ基またはニトロ基を示す。
【００２６】
本発明に係る硬化性樹脂組成物は、さらに、その他のラジカル重合性単量体成分、酸化防止剤などを含有してもよい。
【００２７】
（（Ａ）成分）
（Ａ）成分は、前記式（１）で示されるフルオレン骨格を有する（メタ）アクリレートであり、ラジカル重合性単量体である。（Ａ）成分は、硬化物の屈折率やガラス転移点を高めることができる。
【００２８】
前記式（１）において、Ｒ1、Ｒ2、Ｒ3およびＲ4は各々独立に、水素原子またはメチル基である。硬化物の耐熱安定性が高まる観点から、Ｒ1及びＲ4は水素原子が好ましい。また、硬化物の屈折率がより高まる観点から、Ｒ2及びＲ3は水素原子が好ましい。すなわち、Ｒ1からＲ4は全て水素原子であることが好ましい。
【００２９】
前記式（１）において、ｍは０〜５の整数を示し、ｎは０〜５の整数を示す。ｍ及びｎがそれぞれ５以下の整数であることにより、硬化物の屈折率やガラス転移点が高くなる。硬化性樹脂組成物の粘度が成形に適した値となり、成形性が向上することから、ｍ及びｎはそれぞれ０〜４の整数が好ましく、それぞれ１〜３の整数がより好ましく、それぞれ１〜２の整数がさらに好ましい。
【００３０】
（Ａ）成分としては市販品を用いることができる。例えば、Ｒ1、Ｒ2、Ｒ3およびＲ4がいずれも水素原子であり、ｍ及びｎがいずれも１の化合物である、オグソールＥＡ−０２００（商品名、大阪ガスケミカル株式会社社製）、ＮＫエステルＡ−ＢＰＥＦ（商品名、新中村化学工業株式会社製）などが挙げられる。これらは一種を用いてもよく、二種以上を併用してもよい。
【００３１】
（Ａ）成分の含有量は、硬化性樹脂組成物に含まれるラジカル重合性単量体成分の総量１００質量％中、５〜９５質量％であることが好ましく、１０〜９０質量％であることがより好ましく、２０〜８０質量％であることがさらに好ましく、３０〜７０質量％であることが特に好ましい。（Ａ）成分の含有量が５質量％以上であることにより、硬化物の屈折率及びガラス転移点を高くすることができる。また、（Ａ）成分の含有量が９５質量％以下であることにより、硬化性樹脂組成物の粘度を低くすることができる。
【００３２】
（（Ｂ）成分）
（Ｂ）成分は、前記式（２）で示される２−フェニルフェニル（メタ）アクリレート誘導体であり、ラジカル重合性単量体である。（Ａ）成分を（Ｂ）成分によって希釈することで、硬化性樹脂組成物の粘度が成形に適した値となる。
【００３３】
前記式（２）において、Ｒ5は水素原子またはメチル基である。Ｒ6およびＲ7は各々独立に、水素原子、炭素数１〜１２のアルキル基、炭素数１〜１２のアルコキシ基、炭素数１〜１２のアルコキシカルボニル基、アシロキシ基、ハロゲン、ホルミル基、シアノ基またはニトロ基を示す。前記アルキル基、前記アルコキシ基および前記アルコキシカルボニル基の炭素数は、１〜８が好ましい。前記アルキル基としては、例えばメチル基、エチル基、プロピル基、ｎ−ブチル基、ｉ−ブチル基、ｔ−ブチル基、ペンチル基、ヘキシル基、２−エチルヘキシル基、ｎ−オクチル基、ｉ−オクチル基、ｎ−ノニル基、ｉ−ノニル基、デシル基、ラウリル基等が挙げられる。前記アルコキシ基としては、例えばメトキシ基、エトキシ基、プロポキシ基、ｎ−ブトキシ基、ｉ−ブトキシ基、ｔ−ブトキシ基、ペンチルオキシ基、ヘキシルオキシ基、２−エチルヘキシルオキシ基、ｎ−オクチルオキシ基、ｉ−オクチルオキシ基、ｎ−ノニルオキシ基、ｉ−ノニルオキシ基、デシルオキシ基、ラウリルオキシ基等が挙げられる。前記アルコキシカルボニル基としては、例えばメトキシカルボニル基、エトキシカルボニル基、プロポキシカルボニル基、ｎ−ブトキシカルボニル基、ｉ−ブトキシカルボニル基、ｔ−ブトキシカルボニル基、ペンチルオキシカルボニル基、ヘキシルオキシカルボニル基、２−エチルヘキシルオキシカルボニル基、ｎ−オクチルオキシカルボニル基、ｉ−オクチルオキシカルボニル基、ｎ−ノニルオキシカルボニル基、ｉ−ノニルオキシカルボニル基、デシルオキシカルボニル基、ラウリルオキシカルボニル基等が挙げられる。前記アシロキシ基としては、例えばホルミルオキシ基、アセトキシ基、プロピオニルオキシ基等が挙げられる。前記ハロゲンとしては、例えばフッ素、塩素、臭素、ヨウ素等が挙げられる。
【００３４】
（Ｂ）成分としては、例えば、２−フェニルフェニル（メタ）アクリレート、２−フェニル−３−メチルフェニル（メタ）アクリレート、２−フェニル−４−メチルフェニル（メタ）アクリレート、２−フェニル−５−メチルフェニル（メタ）アクリレート、２−フェニル−６−メチルフェニル（メタ）アクリレート、２−フェニル−３−エチルフェニル（メタ）アクリレート、２−フェニル−４−エチルフェニル（メタ）アクリレート、２−フェニル−５−エチルフェニル（メタ）アクリレート、２−フェニル−６−エチルフェニル（メタ）アクリレート、２−フェニル−３−フルオロフェニル（メタ）アクリレート、２−フェニル−４−フルオロフェニル（メタ）アクリレート、２−フェニル−５−フルオロフェニル（メタ）アクリレート、２−フェニル−６−フルオロフェニル（メタ）アクリレート、２−フェニル−３−クロロフェニル（メタ）アクリレート、２−フェニル−４−クロロフェニル（メタ）アクリレート、２−フェニル−５−クロロフェニル（メタ）アクリレート、２−フェニル−６−クロロフェニル（メタ）アクリレート、２−フェニル−３−ブロモフェニル（メタ）アクリレート、２−フェニル−４−ブロモフェニル（メタ）アクリレート、２−フェニル−５−ブロモフェニル（メタ）アクリレート、２−フェニル−６−ブロモフェニル（メタ）アクリレート、２−フェニル−３−ヨードフェニル（メタ）アクリレート、２−フェニル−４−ヨードフェニル（メタ）アクリレート、２−フェニル−５−ヨードフェニル（メタ）アクリレート、２−フェニル−６−ヨードフェニル（メタ）アクリレート、２−フェニル−３−メトキシフェニル（メタ）アクリレート、２−フェニル−４−メトキシフェニル（メタ）アクリレート、２−フェニル−５−メトキシフェニル（メタ）アクリレート、２−フェニル−６−メトキシフェニル（メタ）アクリレート、２−フェニル−３−ホルミルフェニル（メタ）アクリレート、２−フェニル−４−ホルミルフェニル（メタ）アクリレート、２−フェニル−５−ホルミルフェニル（メタ）アクリレート、２−フェニル−６−ホルミルフェニル（メタ）アクリレート、２−フェニル−３−メトキシカルボニルフェニル（メタ）アクリレート、２−フェニル−４−メトキシカルボニルフェニル（メタ）アクリレート、２−フェニル−５−メトキシカルボニルフェニル（メタ）アクリレート、２−フェニル−６−メトキシカルボニルフェニル（メタ）アクリレート、２−フェニル−４−シアノフェニル（メタ）アクリレート、２−フェニル−３−アセトキシフェニル（メタ）アクリレート、２−フェニル−４−アセトキシフェニル（メタ）アクリレート、２−フェニル−５−アセトキシフェニル（メタ）アクリレート、２−フェニル−６−アセトキシフェニル（メタ）アクリレート、２−フェニル−３−ニトロフェニル（メタ）アクリレート、２−フェニル−４−ニトロフェニル（メタ）アクリレート、２−（２’−メチルフェニル）フェニル（メタ）アクリレート、２−（３’−メチルフェニル）フェニル（メタ）アクリレート、２−（４’−メチルフェニル）フェニル（メタ）アクリレート、２−（２’−フルオロフェニル）フェニル（メタ）アクリレート、２−（３’−フルオロフェニル）フェニル（メタ）アクリレート、２−（４’−フルオロフェニル）フェニル（メタ）アクリレート、２−（２’−クロロフェニル）フェニル（メタ）アクリレート、２−（３’−クロロフェニル）フェニル（メタ）アクリレート、２−（４’−クロロフェニル）フェニル（メタ）アクリレート、２−（２’−ブロモフェニル）フェニル（メタ）アクリレート、２−（３’−ブロモフェニル）フェニル（メタ）アクリレート、２−（４’−ブロモフェニル）フェニル（メタ）アクリレート、２−（２’−ヨードフェニル）フェニル（メタ）アクリレート、２−（３’−ヨードフェニル）フェニル（メタ）アクリレート、２−（４’−ヨードフェニル）フェニル（メタ）アクリレート、２−（２’−メトキシフェニル）フェニル（メタ）アクリレート、２−（３’−メトキシフェニル）フェニル（メタ）アクリレート、２−（４’−メトキシフェニル）フェニル（メタ）アクリレート、２−（２’−ホルミルフェニル）フェニル（メタ）アクリレート、２−（３’−ホルミルフェニル）フェニル（メタ）アクリレート、２−（４’−ホルミルフェニル）フェニル（メタ）アクリレート、２−（２’−メトキシカルボニルフェニル）フェニル（メタ）アクリレート、２−（３’−メトキシカルボニルフェニル）フェニル（メタ）アクリレート、２−（２’−アセトキシフェニル）フェニル（メタ）アクリレート、２−（３’−アセトキシフェニル）フェニル（メタ）アクリレート、２−（４’−アセトキシフェニル）フェニル（メタ）アクリレート、２−（２’−シアノフェニル）フェニル（メタ）アクリレート、２−（３’−シアノフェニル）フェニル（メタ）アクリレート、２−（４’−シアノフェニル）フェニル（メタ）アクリレート、２−（２’−ニトロフェニル）フェニル（メタ）アクリレート、２−（３’−ニトロフェニル）フェニル（メタ）アクリレート等が挙げられる。これらは一種を用いてもよく、二種以上を併用してもよい。硬化物の屈折率及びガラス転移点を高くできる観点から、（Ｂ）成分としては２−フェニルフェニル（メタ）アクリレートが特に好ましい。
【００３５】
（Ｂ）成分の含有量は、硬化性樹脂組成物に含まれるラジカル重合性単量体成分の総量１００質量％中、５〜９５質量％であることが好ましく、１０〜９０質量％であることがより好ましく、２０〜８０質量％であることがさらに好ましく、３０〜７０質量％であることが特に好ましい。（Ｂ）成分の含有量が５質量％以上であることにより、（Ａ）成分の含有量を少なくすることができるため、硬化性樹脂組成物の粘度を低くすることができる。また、（Ｂ）成分の含有量が９５質量％以下であることにより、（Ａ）成分の含有量を多くすることができるため、硬化物の屈折率及びガラス転移点を高くすることができる。
【００３６】
硬化性樹脂組成物１００質量％に対する、（Ａ）成分と（Ｂ）成分の合計の含有量は、７０質量％以上であることが好ましく、８０質量％以上であることがより好ましく、９０質量％以上であることがさらに好ましく、９５質量％以上であることが特に好ましい。（Ａ）成分と（Ｂ）成分の合計の含有量が７０質量％以上であることにより、硬化物の屈折率及びガラス転移点を高くすることができる。該含有量の上限は特に限定されないが、例えば９９質量％以下とすることができる。
【００３７】
（（Ｃ）成分）
（Ｃ）成分としてはラジカル重合開始剤が挙げられ、例えば光重合開始剤、熱重合開始剤、レドックス重合に用いられる過酸化物などが挙げられる。（Ｃ）成分の種類は重合方法に応じて適宜選択することができる。
【００３８】
光重合開始剤は光重合に用いられるラジカル重合開始剤である。光重合開始剤の具体例としては、ベンゾフェノン、４−メチルベンゾフェノン、２，４，６−トリメチルベンゾフェノン、メチルオルトベンゾイルベンゾエイト、４−フェニルベンゾフェノン等のベンゾフェノン型化合物；ｔ−ブチルアントラキノン、２−エチルアントラキノン等のアントラキノン型化合物；２−ヒドロキシ−２−メチル−１−フェニルプロパン−１−オン、オリゴ｛２−ヒドロキシ−２−メチル−１−［４−（１−メチルビニル）フェニル］プロパノン｝、ベンジルジメチルケタール、１−ヒドロキシシクロヘキシルフェニルケトン、ベンゾインメチルエーテル、２−メチル−［４−（メチルチオ）フェニル］−２−モルホリノ−１−プロパノン、２−ヒドロキシ−１−｛４−［４−（２−ヒドロキシ−２−メチルプロピオニル）ベンジル］フェニル｝−２−メチルプロパン−１−オン等のアルキルフェノン型化合物；２−ベンジル−２−ジメチルアミノ−１−（４−モルホリノフェニル）−ブタノン−１、ジエチルチオキサントン、イソプロピルチオキサントン等のチオキサントン型化合物；２，４，６−トリメチルベンゾイルジフェニルホスフィンオキサイド、ビス（２，６−ジメトキシベンゾイル）−２，４，４−トリメチルペンチルホスフィンオキサイド、ビス（２，４，６−トリメチルベンゾイル）−フェニルホスフィンオキサイド等のアシルフォスフィンオキサイド型化合物；フェニルグリオキシリックアシッドメチルエステル等のフェニルグリオキシレート型化合物などが挙げられる。これらの中でも、硬化物の着色を抑制できる点で、アルキルフェノン型化合物が好ましく、２−ヒドロキシ−２−メチル−１−フェニルプロパン−１−オン、１−ヒドロキシシクロヘキシルフェニルケトンがより好ましい。また、硬化物の内部まで十分に硬化されやすくなる点で、アシルフォスフィンオキサイド型化合物が好ましく、硬化物の着色を抑制できる点で、２，４，６−トリメチルベンゾイルジフェニルホスフィンオキサイドがより好ましい。これらの光重合開始剤は、１種単独で用いてもよく、２種以上を併用してもよい。
【００３９】
熱重合開始剤は熱重合に用いられるラジカル重合開始剤である。熱重合開始剤としては例えば有機過酸化物、アゾ化合物などが挙げられる。
【００４０】
有機過酸化物の具体例としては、メチルエチルケトンパーオキサイド等のケトンパーオキサイド；１，１−ジ（ｔ−ヘキシルパーオキシ）−３，３，５−トリメチルシクロヘキサン、１，１−ジ（ｔ−ヘキシルパーオキシ）シクロヘキサン、１，１−ジ（ｔ−ブチルパーオキシ）シクロヘキサン等のパーオキシケタール；１，１，３，３−テトラメチルブチルハイドロパーオキサイド、クメンハイドロパーオキサイド、ｐ−メンタンハイドロパーオキサイド等のハイドロパーオキサイド；ジクミルパーオキサイド、ジ−ｔ−ブチルパーオキサイド等のジアルキルパーオキサイド；ジラウロイルパーオキサイド、ジベンゾイルパーオキサイド等のジアシルパーオキサイド；ジ（４−ｔ−ブチルシクロヘキシル）パーオキシジカーボネート、ジ（２−エチルヘキシル）パーオキシジカーボネート等のパーオキシジカーボネート；ｔ−ブチルパーオキシ−２−エチルヘキサノエート、ｔ−ヘキシルパーオキシイソプロピルモノカーボネート、ｔ−ブチルパーオキシベンゾエート、１，１，３，３−テトラメチルブチルパーオキシ−２−エチルヘキサノエート等のパーオキシエステルなどが挙げられる。
【００４１】
アゾ化合物の具体例としては、２，２’−アゾビスイソブチロニトリル、２，２’−アゾビス（２−メチルブチロニトリル）、２，２’−アゾビス（２，４−ジメチルバレロニトリル）、１，１’−アゾビス−１−シクロヘキサンカルボニトリル、ジメチル−２，２’−アゾビスイソブチレート、４，４’−アゾビス−４−シアノバレリック酸、２，２’−アゾビス−（２−アミジノプロパン）ジハイドロクロライドなどが挙げられる。
【００４２】
これらの熱重合開始剤は、１種単独で用いてもよく、２種以上を併用してもよい。
【００４３】
熱重合開始剤としては、硬化物に気泡が生じにくい点で、有機過酸化物が好ましい。硬化性樹脂組成物の硬化時間とポットライフとのバランスを考慮すると、有機過酸化物の１０時間半減期温度は３５〜８０℃が好ましく、より好ましくは４０〜７５℃であり、さらに好ましくは４５〜７０℃である。１０時間半減期温度が３５℃以上であれば、常温で硬化性樹脂組成物がゲル化しにくくなり、ポットライフが良好となる。一方、１０時間半減期温度が８０℃以下であれば、硬化性樹脂組成物の硬化時間を短縮できる。このような有機過酸化物としては、例えば１，１，３，３−テトラメチルブチルパーオキシ−２−エチルヘキサノエート、ｔ−ブチルパーオキシ−２−エチルヘキサノエート、ジ（４−ｔ−ブチルシクロヘキシル）パーオキシジカーボネートなどが挙げられる。１，１，３，３−テトラメチルブチルパーオキシ−２−エチルヘキサノエートの市販品としては、例えばパーオクタＯ（商品名、日油株式会社製、１０時間半減期温度：６５．３℃）等が挙げられる。ｔ−ブチルパーオキシ−２−エチルヘキサノエートの市販品としては、例えばパーブチルＯ（商品名、日油株式会社製、１０時間半減期温度：７２．１℃）等が挙げられる。ジ（４−ｔ−ブチルシクロヘキシル）パーオキシジカーボネートの市販品としては、例えばパーロイルＴＣＰ（商品名、日油株式会社製、１０時間半減期温度：４０．８℃）等が挙げられる。
【００４４】
レドックス重合に用いられる過酸化物としては、例えばジベンゾイルパーオキサイド、ハイドロパーオキサイドなどが挙げられる。これらの過酸化物は、１種単独で用いてもよく、２種以上を併用してもよい。
【００４５】
なお、レドックス重合には、通常、レドックス系重合開始剤が用いられる。レドックス系重合開始剤は、過酸化物と還元剤とを併用した重合開始剤である。上述した過酸化物をレドックス系重合開始剤として使用する場合、還元剤との組み合わせの一例は以下の通りである。
（１）ジベンゾイルパーオキサイド（過酸化物）と、Ｎ，Ｎ−ジメチルアニリン、Ｎ，Ｎ−ジメチル−ｐ−トルイジン、Ｎ，Ｎ−ビス（２−ヒドロキシプロピル）−ｐ−トルイジン等の芳香族３級アミン類（還元剤）との組み合わせ。
（２）ハイドロパーオキサイド（過酸化物）と金属石鹸類（還元剤）との組み合わせ。
（３）ハイドロパーオキサイド（過酸化物）とチオ尿素類（還元剤）との組み合わせ。
【００４６】
（Ｃ）成分の含有量は、硬化性樹脂組成物に含まれるラジカル重合性単量体成分の総量１００質量部に対して、０．０１〜１０質量部であることが好ましく、０．０５〜５質量部であることがより好ましく、０．１〜４質量部であることがさらに好ましく、１〜３質量部であることが特に好ましい。（Ｃ）成分の含有量が０．０１質量部以上であることにより、硬化性樹脂組成物の硬化性が向上し、強度の高い硬化物が得られやすい。また、（Ｃ）成分の含有量が１０質量部以下であることにより、硬化物の透明性が向上する。
【００４７】
（その他のラジカル重合性単量体成分）
その他のラジカル重合性単量体成分は、前記（Ａ）成分および前記（Ｂ）成分以外のラジカル重合性単量体である。硬化性樹脂組成物がその他のラジカル重合性単量体成分を含有することで粘度をより調整しやすくなる。加えて、硬化物のガラス転移点もより向上しやすくなる。
【００４８】
その他のラジカル重合性単量体成分としては、例えば単官能の（メタ）アクリルモノマー、多官能の（メタ）アクリルモノマー、（メタ）アクリルモノマー以外のビニル基含有モノマー（以下、その他のビニル基含有モノマーと示す。）、ラジカル重合性基を有するシルセスキオキサン化合物などが挙げられる。
【００４９】
単官能の（メタ）アクリルモノマーの具体例としては、（メタ）アクリル酸、コハク酸２−（メタ）アクリロイルオキシエチル、マレイン酸２−（メタ）アクリロイルオキシエチル、フタル酸２−（メタ）アクリロイルオキシエチル、ヘキサヒドロフタル酸２−（メタ）アクリロイルオキシエチル等のカルボキシル基を含有する（メタ）アクリルモノマー；メチル（メタ）アクリレート、エチル（メタ）アクリレート、プロピル（メタ）アクリレート、ｎ−ブチル（メタ）アクリレート、ｉ−ブチル（メタ）アクリレート、ｔ−ブチル（メタ）アクリレート、ペンチル（メタ）アクリレート、ヘプチル（メタ）アクリレート、２−エチルヘキシル（メタ）アクリレート、ｎ−オクチル（メタ）アクリレート、イソオクチル（メタ）アクリレート、ｎ−ノニル（メタ）アクリレート、イソノニル（メタ）アクリレート、デシル（メタ）アクリレート、ラウリル（メタ）アクリレート、トリデシル（メタ）アクリレート、ステアリル（メタ）アクリレート等のアルキル（メタ）アクリレート；シクロヘキシル（メタ）アクリレート、ジシクロペンテニル（メタ）アクリレート、２−ジシクロペンテノキシエチル（メタ）アクリレート、イソボルニル（メタ）アクリレート、ジシクロペンタニル（メタ）アクリレート、アダマンチル（メタ）アクリレート等の脂環式構造を含有する（メタ）アクリルモノマー；フェニル（メタ）アクリレート、ベンジル（メタ）アクリレート、フェノキシエチル（メタ）アクリレート、フェノキシジエチレングリコール（メタ）アクリレート、フェノキシポリエチレングリコール（メタ）アクリレート、ノニルフェノキシポリエチレングリコール（メタ）アクリレート、フェノキシポリプロピレングリコール（メタ）アクリレート、フェニルフェノキシエチル（メタ）アクリレート等の芳香環構造を含有する（メタ）アクリルモノマー；メトキシエチル（メタ）アクリレート、エトキシエチル（メタ）アクリレート、ブトキシエチル（メタ）アクリレート等のアルコキシ（メタ）アクリレート；テトラヒドロフルフリル（メタ）アクリレート、グリシジル（メタ）アクリレート等のヘテロ環構造を含有する（メタ）アクリルモノマー；３−（メタ）アクリロキシプロピルトリメトキシシラン、３−（メタ）アクリロキシプロピルトリエトキシシラン、２−（メタ）アクリロイロキシエチルアシッドホスフェート、トリフルオロエチル（メタ）アクリレート、ヘプタデカフルオロデシル（メタ）アクリレート及び（メタ）アクリロイルモルフォリンなどが挙げられる。これらの単官能の（メタ）アクリルモノマーは、１種単独で用いてもよく、２種以上を併用してもよい。
【００５０】
多官能の（メタ）アクリルモノマーの具体例としては、エチレングリコールジ（メタ）アクリレート、ポリエチレングリコールジ（メタ）アクリレート、プロピレングリコールジ（メタ）アクリレート、ポリプロピレングリコールジ（メタ）アクリレート、ブチレングリコールジ（メタ）アクリレート、ポリブチレングリコールジ（メタ）アクリレート、ネオペンチルグリコールジ（メタ）アクリレート、１，６−ヘキサンジオールジ（メタ）アクリレート、１，９−ノナンジオールジ（メタ）アクリレート、トリシクロデカンジメタノールジ（メタ）アクリレート、ポリカーボネートジオールジ（メタ）アクリレート、ポリエステルジオールジ（メタ）アクリレート、ビスフェノールＡエチレンオキサイド付加物ジ（メタ）アクリレート、ビスフェノールＡプロピレンオキサイド付加物ジ（メタ）アクリレート等の２官能の（メタ）アクリレート；トリメチロールプロパントリ（メタ）アクリレート、エトキシ化イソシアヌル酸トリ（メタ）アクリレート、ε−カプロラクトン変性トリス（（メタ）アクロキシエチル）イソシアヌレート等の３官能の（メタ）アクリレート；ジトリメチロールプロパンテトラ（メタ）アクリレート等の４官能の（メタ）アクリレート；ジペンタエリスリトールペンタ（メタ）アクリレート等の５官能の（メタ）アクリレート；ジペンタエリスリトールヘキサ（メタ）アクリレート等の６官能の（メタ）アクリレートなどが挙げられる。これらの多官能の（メタ）アクリルモノマーは、１種単独で用いてもよく、２種以上を併用してもよい。
【００５１】
その他のビニル基含有モノマーの具体例としては、スチレン、α−メチルスチレン等の芳香族ビニル系モノマー；アクリロニトリル等のシアン化ビニル系モノマー；酢酸ビニル等のビニルエステル系モノマーなどが挙げられる。これらのその他のビニル基含有モノマーは、１種単独で用いてもよく、２種以上を併用してもよい。
【００５２】
ラジカル重合性基を有するシルセスキオキサン化合物は、例えば分子内にラジカル重合性基を１つ有するトリアルコキシシラン化合物を含むアルコキシシラン化合物を縮合反応することで得られる。ラジカル重合性基を１つ有するトリアルコキシシラン化合物としては、例えば３−（メタ）アクリロイルオキシプロピルトリメトキシシラン、３−（メタ）アクリロイルオキシプロピルトリエトキシシラン、ビニルトリアセトキシシラン、ビニルトリメトキシシラン、ビニルトリエトキシシラン、ビニルトリイソプロポキシシランなどが挙げられる。（Ｂ）成分との相溶性や共重合性に優れる観点から、ラジカル重合性基としては（メタ）アクリロイル基が好ましい。また、ラジカル重合性基を分子内に１つ有するトリアルコキシシラン化合物としては、３−（メタ）アクリロイルオキシプロピルトリメトキシシラン、３−（メタ）アクリロイルオキシプロピルトリエトキシシランが好ましい。
【００５３】
ラジカル重合性基を有するシルセスキオキサン化合物の市販品としては、例えば、ＡＣ−ＳＱＴＡ−１００、ＡＣ−ＳＱＳＩ−２０、ＭＡＣ−ＳＱＴＭ−１００、ＭＡＣ−ＳＱＳＩ−２０（以上商品名、東亞合成株式会社製）などが挙げられる。
【００５４】
これらのラジカル重合性基を有するシルセスキオキサン化合物は、１種単独で用いてもよく、２種以上を併用してもよい。これらの中でも、その他のラジカル重合性単量体成分としては、屈折率の低下を抑制しながら、粘度を大きく低下させることができる観点から、芳香環構造を含有する（メタ）アクリルモノマーが好ましく、ガラス転移点が高い観点から、フェニル（メタ）アクリレート、ベンジル（メタ）アクリレート、フェノキシエチル（メタ）アクリレートがより好ましい。
【００５５】
その他のラジカル重合性単量体成分の含有量は、硬化性樹脂組成物に含まれるラジカル重合性単量体成分の総量１００質量％中、３０質量％以下が好ましく、２０質量％以下がより好ましく、１０質量％以下がさらに好ましく、５質量％以下が特に好ましい。該含有量の下限は特に限定されず、０質量％であってもよい。上述したように、硬化性樹脂組成物がその他のラジカル重合性単量体成分を含有することで、粘度や硬化物のガラス転移点を調整しやすくなるが、その他のラジカル重合性単量体成分の含有量が多くなるほど硬化物の屈折率が低下する傾向にある。その他のラジカル重合性単量体成分の含有量が、ラジカル重合性単量体成分の総量１００質量％中、３０質量％以下であれば、硬化物の屈折率を維持しつつ、ガラス転移点を高めたり、硬化性樹脂組成物の粘度を成形に適した値に調整したりしやすくなる。
【００５６】
（酸化防止剤）
硬化性樹脂組成物は、酸化防止剤をさらに含有することが好ましい。硬化性樹脂組成物が酸化防止剤を含有することで、硬化物の酸化による着色を抑制できる。また、透明光学部材がはんだリフローなどの熱処理工程を通過する場合、通過時の加熱による着色を抑制できる。
【００５７】
酸化防止剤の具体例としては、２，６−ジ−ｔ−ブチルフェノール、２，６−ジ−ｔ−ブチル−ｐ−クレゾール、ｎ−オクタデシル−３−（３’，５’−ジ−ｔ−ブチル−４’−ヒドロキシフェニル）プロピオネート、テトラキス−［メチレン−３−（３’，５’−ジ−ｔ−ブチル−４’−ヒドロキシフェニル）プロピオネート］メタン、トリエチレングリコールビス［３−（３−ｔ−ブチル−５−メチル−４−ヒドロキシフェニル）プロピオネート］、１，６−ヘキサンジオールビス［３−（３，５−ジ−ｔ−ブチル−４−ヒドロキシフェニル）プロピオネート］等のフェノール系酸化防止剤；トリフェニルホスファイト、トリスイソデシルホスファイト、トリストリデシルホスファイト、トリス（２，４−ジ−ｔ−ブチルフェニル）ホスファイト等のリン系酸化防止剤；ジヘキシルスルフィド、ジラウリル−３，３’−チオジプロピオネート、ジトリデシル−３，３’−チオジプロピオネート、ジミリスチル−３，３’−チオジプロピオネート、ジステリアル−３，３’−チオジプロピオネート、ペンタエリスリトールテトラキス（β−ラウリルチオプロピオネート）等の硫黄系酸化防止剤などが挙げられる。これらの中でも、硬化性樹脂組成物への溶解性や、硬化物の着色の抑制効果が高い点から、硫黄系酸化防止剤、リン系酸化防止剤が好ましい。これらの酸化防止剤は、１種単独で用いてもよく、２種以上を併用してもよい。
【００５８】
酸化防止剤の含有量は、硬化性樹脂組成物に含まれるラジカル重合性単量体成分の総量１００質量部に対して、０．０１〜５質量部が好ましく、０．０３〜４質量部がより好ましく、０．０５〜３質量部がさらに好ましく、０．１〜２質量部が特に好ましい。酸化防止剤の含有量が０．０１質量部以上であることにより、硬化物の酸化による着色やリフロー時の加熱による着色をより抑制できる。また、酸化防止剤の含有量が５質量部以下であることにより、硬化物の透明性がより良好になる。
【００５９】
（他の成分）
硬化性樹脂組成物は、本発明の効果を損なわない範囲内であれば、前記（Ａ）成分、前記（Ｂ）成分、前記（Ｃ）成分、前記その他のラジカル重合性単量体成分、および前記酸化防止剤以外の他の成分を含有してもよい。他の成分としては、例えばアクリル系重合体、ゴム、シリカ粒子、可塑剤、紫外線吸収剤、消泡剤、揺変剤、重合禁止剤、離型剤、充填剤、蛍光体、顔料等が挙げられる。これらの他の成分は、１種単独で用いてもよく、２種以上を併用してもよい。
【００６０】
（硬化性樹脂組成物の製造方法）
硬化性樹脂組成物を製造する方法としては、例えば前記（Ａ）成分、前記（Ｂ）成分及び前記（Ｃ）成分と、必要に応じて、前記その他のラジカル重合性単量体成分、前記酸化防止剤、前記他の成分とを常温で撹拌混合する方法、これらを加熱混合する方法などが挙げられる。
【００６１】
前記（Ｃ）成分として熱重合開始剤を用いる場合には、硬化性樹脂組成物の安定性の点から、前記（Ａ）成分及び前記（Ｂ）成分と、必要に応じて、前記その他のラジカル重合性単量体成分、前記酸化防止剤、前記他の成分とを加熱混合した後に冷却し、常温で前記（Ｃ）成分を加えて撹拌混合し、硬化性樹脂組成物を得る方法が好ましい。
【００６２】
加熱混合により硬化性樹脂組成物を製造する場合には、相溶性が良好となり、より均一に混合できる観点から、４０〜１００℃の加熱下で混合することが好ましい。また、同様の観点から、混合の際の攪拌時間は０．１〜５時間であることが好ましい。
【００６３】
（硬化性樹脂組成物の粘度）
硬化性樹脂組成物の粘度は、１００〜５０，０００ｍＰａ・ｓが好ましく、より好ましくは２００〜４０，０００ｍＰａ・ｓであり、さらに好ましくは５００〜３０，０００ｍＰａ・ｓである。硬化性樹脂組成物の粘度が上記範囲内であれば、良好な成形性が得られる。特に、硬化性樹脂組成物の粘度が１００ｍＰａ・ｓ以上であれば、ディスペンサや金型からの樹脂漏れを抑制できる。また、該粘度が５０，０００ｍＰａ・ｓ以下であれば、金型への浸入性や移液時の作業性が良好になる。なお、該粘度は、２３℃においてＢ型粘度計を用いて得られる測定値である。
【００６４】
（作用効果）
以上説明した本発明に係る硬化性樹脂組成物は、前記（Ａ）成分、前記（Ｂ）成分及び前記（Ｃ）成分を含む。したがって、本発明に係る硬化性樹脂組成物を用いることにより、透明性、屈折率及びガラス転移点の高い硬化物が得られる。該硬化物は、さらに酸化防止剤を含有することで、硬化物の酸化による着色やリフロー時の加熱による着色を抑制できる。
【００６５】
［硬化物］
本発明に係る硬化物は、上述した本発明に係る硬化性樹脂組成物の硬化物である。
【００６６】
硬化物を得る方法としては、例えば、本発明に係る硬化性樹脂組成物を所定の形状としておき、これを硬化させて所定の形状を有する硬化物を得る方法が挙げられる。このようにして所定の形状を有する硬化物を得る方式としては、例えば、硬化性樹脂組成物を塗工するコーティング方式、ポッティング成形方式、キャスティング成形方式、プリンティング成形方式、液体樹脂射出成形方式（ＬＩＭ方式）、トランスファー成形方式などが挙げられる。
【００６７】
また、硬化性樹脂組成物を硬化する方法としては、硬化性樹脂組成物に含まれる（Ｃ）成分の種類に応じて、光重合、熱重合及びレドックス重合のいずれかの方法を採用できる。
【００６８】
光重合で硬化性樹脂組成物を硬化して硬化物を得る場合、硬化性樹脂組成物に照射する光の波長は特に制限されないが、波長が２００〜４００ｎｍの紫外線を照射することが好ましい。紫外線の光源の具体例としては、超高圧水銀灯、高圧水銀灯、メタルハライドランプ、ハイパワーメタルハライドランプ、ＵＶ−ＬＥＤランプなどが挙げられる。
【００６９】
硬化性樹脂組成物を光重合した後には、アフターキュアーをさらに行うことが好ましい。これにより、硬化物中に残存する未反応の（メタ）アクリロイル基の量を減少させることができ、硬化物の強度をより高めることができる。アフターキュアーの条件としては、７０〜１５０℃で０．１〜２４時間が好ましく、８０〜１３０℃で０．２〜１０時間がより好ましい。
【００７０】
熱重合で硬化性樹脂組成物を硬化して硬化物を得る場合、硬化条件は特に限定されないが、着色が抑制された硬化物が得られやすい観点から、硬化温度は４０〜２００℃が好ましく、６０〜１５０℃がより好ましい。
【００７１】
ＬＩＭ方式やトランスファー成形方式などのように、予め加熱された型に硬化性樹脂組成物を注入して成形する場合の硬化時間（加熱時間）は、硬化温度によっても異なるが、例えば硬化温度が１００℃の場合、１〜１８０秒が好ましく、１〜１２０秒がより好ましく、１〜６０秒がさらに好ましい。一方、キャスティング成形方式のように常温の型に硬化性樹脂組成物を注入後、加熱する場合の硬化時間は、硬化温度によっても異なるが、例えば硬化温度が７０℃の場合、５分〜５時間が好ましく、１０分〜３時間がより好ましい。
【００７２】
硬化性樹脂組成物を熱重合した後には、アフターキュアーをさらに行うことが好ましい。アフターキュアーの条件としては、５０〜１５０℃で０．１〜１０時間が好ましく、７０〜１３０℃で０．２〜５時間がより好ましい。
【００７３】
レドックス重合により硬化性樹脂組成物を硬化して硬化物を得る場合、レドックス系重合開始剤を用いることで、５〜４０℃の常温で硬化することができる。得られる硬化物中に残存する未反応の（メタ）アクリロイル基の量を減少させることができ、硬化物の強度をより高めることができる点から、硬化温度は１５〜４０℃が好ましい。
【００７４】
また、硬化性樹脂組成物がゲル化しにくく、安定的に取り扱える点から、予め還元剤を硬化性樹脂組成物に溶解させておき、これに過酸化物を追加する手順で硬化を実施する方法が好ましい。
【００７５】
（硬化物の透明性）
硬化物の透明性について、硬化物の厚さが１ｍｍの場合、全光線透過率が８０％以上、ヘーズが２％以下であることが好ましく、全光線透過率が８５％以上、ヘーズが１．５％以下であることがより好ましく、全光線透過率が９０％以上、ヘーズが１％以下であることがさらに好ましい。なお、全光線透過率及びヘーズは後述する方法により測定される値である。
【００７６】
（硬化物の屈折率）
硬化物の屈折率について、２５℃におけるナトリウムＤ線（５８９ｎｍ）での測定値が、１．６１０以上であることが好ましく、１．６１３以上であることがより好ましく、１．６１５以上であることがさらに好ましい。硬化物の屈折率が１．６１０以上であれば、透明光学部材に適用した場合に多様な光学設計が可能となり、様々な用途へ適用できる。なお、屈折率は後述する方法により測定される値である。
【００７７】
（硬化物のガラス転移点）
硬化物のガラス転移点は、１００℃以上であることが好ましく、１１０℃以上であることがより好ましく、１２０℃以上であることがさらに好ましい。硬化物のガラス転移点が１００℃以上であれば、８５℃、８５％ＲＨの標準的な高温高湿試験環境においても硬化物の形状が安定するため（すなわち、変形しにくいため）、透明光学部材に適用した場合に透明光学部材としての信頼性が向上する。なお、本発明において、「硬化物のガラス転移点」とは、動的粘弾性測定装置にて硬化物の動的粘弾性及び損失正接を測定し、損失正接（ｔａｎδ）が最大値を示す温度である。具体的には、硬化物のガラス転移点は後述する方法により測定される値である。
【００７８】
［透明光学部材］
本発明に係る透明光学部材は、本発明に係る硬化性樹脂組成物の硬化物を含む。例えば、該透明光学部材は、該硬化物を成形して作製される。該成形は、硬化性樹脂組成物を硬化した後に行ってもよく、硬化と同時に行ってもよい。成形方法としては、コーティング方式、ポッティング成形方式、キャスティング成形方式、プリンティング成形方式、ＬＩＭ方式、トランスファー成形方式などが挙げられる。成形時の硬化方法は、光学部材の透明性が良好となる点で、光重合、熱重合が好ましい。
【００７９】
透明光学部材としては、例えば、発光ダイオードモジュール、携帯電話、スマートフォン、タブレット端末、パソコン、カメラ、有機エレクトロルミネッセンス（有機ＥＬ）デバイス、フラットパネルディスプレイ、タッチパネル、電子ペーパー、フォトダイオード、フォトトランジスタ、太陽電池、プロジェクター等に使用されるフィルム、シート、レンズ、光導波路、封止材、充填材、接着剤、反射材、粘着剤、波長変換材などが挙げられる。本発明に係る透明光学部材は、高い透明性、高い屈折率及び高いガラス転移点を有するため、カメラレンズ等のレンズとして特に有用である。また、酸化防止剤を加えることで、リフロー時の加熱による着色を抑制できるため、リフロー工程を通過するレンズなどの光学部材としても有用である。
【００８０】
［レンズ］
本発明に係るレンズは、本発明に係る硬化性樹脂組成物の硬化物を含む。該レンズは、例えば、携帯電話、スマートフォン、タブレット端末、パソコン、デジタルカメラ等の電子機器、自動車のバックカメラ、ドライブレコーダー等に備え付けられるカメラモジュール等に用いられる。
【００８１】
本発明に係るレンズは、本発明に係る硬化物からなる成形品であってもよいが、平面ガラス、曲面ガラス又はガラスウエハー等の透明基材と、該透明基材の片面又は両面上に形成された本発明に係る硬化物と、からなるハイブリッドレンズであってもよい。
【００８２】
レンズの成形方法としては、上下型で硬化性樹脂組成物を挟み込んだ後、加熱または光照射により、樹脂を硬化することでレンズを得るキャスティング方式などが挙げられる。キャスティング方式としては、レンズ個片を１点ずつ成形する方法や、複数のレンズ形状が転写されたウエハーを成形した後、レンズ個片を切り出すウエハーレベル方式などが挙げられる。
【００８３】
［カメラモジュール］
本発明に係るカメラモジュールは、本発明に係るレンズを含む。
【００８４】
図１に、本発明に係るカメラモジュールの一例の断面図を示す。図１に示されるカメラモジュール１００は、本発明に係るレンズであるカメラレンズ１ａ、１ｂ及び赤外線カットフィルター５を備えるレンズホルダー２と、センサーチップ４及びボンディングワイヤ６ａ、６ｂを備える基板３とを具備する。基板３上に、レンズホルダー２が積層されている。なお、図１に示されるカメラモジュール１００が備えるカメラレンズは２枚であるが、カメラレンズは１枚であってもよいし、３枚以上であってもよい。レンズが複数枚の場合、ガラス製のカメラレンズが混在していてもよい。
【００８５】
また、その他の構成のカメラモジュールとしては、ウエハー上に形成された、レンズとイメージセンサーウエハーとの接着積層体をダイシングするウエハーレベル方式によって形成されるカメラモジュールが挙げられる。
【実施例】
【００８６】
以下、実施例を挙げて本発明を具体的に説明するが、本発明はこれらの例に限定されるものではない。なお、各実施例及び比較例中の「部」は「質量部」を意味する。また、合成例、実施例及び比較例における高速液体クロマトグラフィ（以下ＨＰＬＣという。）、全光線透過率、ヘーズ、屈折率、ガラス転移点は以下の方法で測定した。
【００８７】
＜ＨＰＬＣ＞
サンプル１５ｍｇをアセトニトリル１０ｍＬに溶解し、試料溶液を調製した。Ｐｒｏｍｉｎｅｎｃｅ  ＵＦＬＣ、ＤＩＯＤＥ  ＡＲＲＡＹ  ＤＥＴＥＣＴＯＲ  ＳＰＤ−Ｍ２０Ａ（商品名、（株）島津製作所製）を用い、以下の条件で測定を行った。
カラム：Ｓｈｉｍａ−ｐａｃｋ  ＶＰ−ＯＤＳ  ４．６ｍｍｆｘ１５０ｍｍ（商品名、（株）島津製作所製）
測定波長：２５４ｎｍ
溶離液：アセトニトリル（和光純薬工業（株）製、ＨＰＬＣグレード）／水（ｖ／ｖ）
グラジエント：
５／９５→８５／１５、１０ｍｉｎ．
８５／１５，５ｍｉｎ．
８５／１５→５／９５、１ｍｉｎ．
５／９５，１０ｍｉｎ．
保持時間：２−フェニルフェニルメタクリレート  １４．４ｍｉｎ．
２−フェニルフェノール  １２．３ｍｉｎ．。
【００８８】
＜全光線透過率およびヘーズの測定＞
直径約５０ｍｍ×厚さ約１ｍｍの硬化物の全光線透過率およびヘーズを、ヘーズメーター（商品名：ＨＭ−１５０型、村上色彩技術研究所製）を用いて測定した。
【００８９】
＜屈折率の測定＞
厚さ約１００μｍの硬化物の屈折率（ナトリウムＤ線（５８９ｎｍ）、２５℃）を、多波長アッベ屈折計（商品名：ＤＲ−Ｍ２、株式会社アタゴ製）により測定した。なお、測定中間液として、イオウヨウ化メチレン（株式会社アタゴ製）を用いた。
【００９０】
＜ガラス転移点の測定＞
約４ｍｍ×３５ｍｍ×厚さ１ｍｍの硬化物の動的粘弾性及び損失正接を測定し、損失正接（ｔａｎδ）が最大値を示す温度を、該硬化物のガラス転移点とした。測定には、動的粘弾性測定装置（商品名：ＲＳＡ−ＩＩ、ティー・エイ・インスツルメント・ジャパン株式会社製）を用いた。測定条件は引っ張りモードとした。測定周波数は１０Ｈｚとした。
【００９１】
［合成例１］
反応容器に無水メタクリル酸１５５．３２ｇ（アルドリッチ社製、１．００８ｍｏｌ）、アンバーリスト１５ＤＲＹ７．１３ｇ（商品名、オルガノ株式会社製）、２−フェニルフェノール１４２．５３ｇ（アルドリッチ社製、０．８３７ｍｏｌ）を投入した。内温を８０℃まで加熱し、９０分撹拌した。ＨＰＬＣにて２−フェニルフェノールの消失を確認した。濾過によりアンバーリスト１５ＤＲＹを除去し、残渣２８７．７３ｇを得た。Ｎ，Ｎ’−ジ−２−ナフチル−ｐ−フェニレンジアミン０．１４７ｇ（東京化成工業株式会社製、０．４０９ｍｍｏｌ）を投入した。内圧０．４ｋＰａ（３ｔｏｒｒ）で内温を１４３℃まで加熱し、蒸留精製を行った。これにより、２−フェニルフェニルメタクリレート１４９．６７ｇを得た（総収率７５％）。ＨＰＬＣにて測定した純度は９９質量％であった。
【００９２】
［参考例１］
＜硬化性樹脂組成物の調製＞
冷却器を備えた反応容器に、（Ａ）成分としてＮＫエステルＡ−ＢＰＥＦ（商品名、新中村化学工業株式会社製、前記式（１）において、Ｒ1、Ｒ2、Ｒ3およびＲ4の全てが水素原子であり、ｎ及びｍがいずれも１である化合物）７０部と、（Ｂ）成分として合成例１で合成した２−フェニルフェニルメタクリレート３０部と、（Ｃ）成分として１−ヒドロキシシクロヘキシルフェニルケトン（商品名：ＩＲＧＡＣＵＲＥ１８４、ＢＡＳＦ社製、光重合開始剤）３部とを加えた。これを７０℃で２時間撹拌することで、硬化性樹脂組成物を得た。
【００９３】
＜硬化物の作製＞
得られた硬化性樹脂組成物を、厚さ１ｍｍのシリコーンシートをガスケットとして、２枚のガラス板で挟み込み、高圧水銀灯で積算光量１０００ｍＪ／ｃｍ2の紫外線を照射した後、１００℃で３０分間加熱した。冷却後、板ガラスを除去し、全光線透過率およびヘーズの測定に用いる直径約５０ｍｍ、厚さ約１ｍｍの硬化物を得た。同様の方法により、約４ｍｍ×３５ｍｍの長方形状を切り抜いた厚さ１ｍｍのシリコーンシートをガスケットとして用いることで、ガラス転移点の測定に用いる約４ｍｍ×３５ｍｍ×厚さ１ｍｍの硬化物を得た。また、同様の方法により、厚さ約１００μｍのポリエステルテープを用いることで、屈折率の測定に用いる厚さ約１００μｍの硬化物を得た。
【００９４】
得られた硬化物を用い、前記方法により全光線透過率、ヘーズ、屈折率及びガラス転移点を測定した。結果を表１に示す。なお、表１における各成分の単位は「部」である。
【００９５】
［実施例２、３］
表１に記載の配合組成に変更した以外は、参考例１と同様にして硬化性樹脂組成物を調製し、硬化物を作製し、評価した。結果を表１に示す。
【００９６】
［実施例４］
＜硬化性樹脂組成物の調製＞
冷却器を備えた反応容器に、（Ａ）成分としてＮＫエステルＡ−ＢＰＥＦ（商品名、新中村化学工業株式会社製、前記式（１）において、Ｒ1、Ｒ2、Ｒ3およびＲ4の全てが水素原子であり、ｎ及びｍがいずれも１である化合物）５０部と、（Ｂ）成分として合成例１で合成した２−フェニルフェニルメタクリレート５０部とを加え、７０℃で２時間撹拌した。これを室温に冷却した後、（Ｃ）成分として１，１，３，３−テトラメチルブチルパーオキシ−２−エチルヘキサノエート（商品名：パーオクタＯ、日油株式会社製、熱重合開始剤、１０時間半減期温度：６５．３℃）２部を加え、さらに１０分間攪拌し、硬化性樹脂組成物を得た。
【００９７】
＜硬化物の作製＞
得られた硬化性樹脂組成物を、厚さ１ｍｍのシリコーンシートをガスケットとして、２枚のガラス板で挟み込み、９０℃で１時間、１００℃で３０分間加熱した。冷却後、板ガラスを除去し、全光線透過率およびヘーズの測定に用いる直径約５０ｍｍ、厚さ約１ｍｍの硬化物を得た。同様の方法により、約４ｍｍ×３５ｍｍの長方形状を切り抜いた厚さ１ｍｍのシリコーンシートをガスケットとして用いることで、ガラス転移点の測定に用いる約４ｍｍ×３５ｍｍ×厚さ１ｍｍの硬化物を得た。また、同様の方法により、厚さ約１００μｍのポリエステルテープを用いることで、屈折率の測定に用いる厚さ約１００μｍの硬化物を得た。
【００９８】
得られた硬化物を用い、前記方法により全光線透過率、ヘーズ、屈折率及びガラス転移点を測定した。結果を表１に示す。
【００９９】
［比較例１、２］
表１に記載の配合組成に変更した以外は、参考例１と同様にして硬化性樹脂組成物を調製し、硬化物を作製し、評価した。結果を表１に示す。
【０１００】
【表１】
0006631092.tif 000006
【０１０１】
・Ａ−ＢＰＥＦ：前記式（１）において、Ｒ1、Ｒ2、Ｒ3及びＲ4の全てが水素原子であり、ｍ及びｎがいずれも１である化合物（商品名：ＮＫエステルＡ−ＢＰＥＦ、新中村化学工業株式会社製）
・２−フェニルフェニルメタクリレート：合成例１で合成した２−フェニルフェニルメタクリレート
・ＩＲＧＡＣＵＲＥ１８４：１−ヒドロキシシクロヘキシルフェニルケトン（商品名：ＩＲＧＡＣＵＲＥ１８４、ＢＡＳＦ社製、光重合開始剤）
・パーオクタＯ：１，１，３，３−テトラメチルブチルパーオキシ−２−エチルヘキサノエート（商品名：パーオクタＯ、日油株式会社製、１０時間半減期温度：６５．３℃、熱重合開始剤）
・ｏ−フェニルフェノキシエチルアクリレート（商品名：ＮＫエステルＡ−ＬＥＮ−１０、新中村化学工業株式会社製）
・ライトアクリレートＤＣＰ−Ａ：ジメチロールトリシクロデカンジアクリレート（商品名：ライトアクリレートＤＣＰ−Ａ、共栄社化学株式会社製）。
【０１０２】
表１より、各実施例で得られた硬化性樹脂組成物を用いて作製された硬化物は、高い透明性、屈折率およびガラス転移点を有していた。一方、（Ｂ）成分の代わりにｏ−フェニルフェノキシエチルアクリレートを用いた比較例１の硬化物は、ガラス転移点が低かった。また、（Ｂ）成分の代わりにジメチロールトリシクロデカンジアクリレートを用いた比較例２の硬化物は、屈折率が低かった。
【符号の説明】
【０１０３】
１００      カメラモジュール
１ａ、１ｂ  カメラレンズ
２          レンズホルダー
３          基板
４          センサーチップ
５          赤外線カットフィルター
６ａ、６ｂ  ボンディングワイヤ
【図１】
0006631092.tif 000009